【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
複数のレンズ群を有するズームレンズであって、
前記複数のレンズ群は、物体側から像側へ順に配置された、正の屈折力の第１レンズ群、負の屈折力の第２レンズ群、正の屈折力の第３レンズ群、１つ以上のレンズ群を含む後群から成り、
ズーミングに際して前記第１レンズ群は移動し、隣り合うレンズ群の間隔が変化し、
前記第１レンズ群の焦点距離をｆ１、前記第３レンズ群の焦点距離をｆ３、前記第１レンズ群の最も物体側のレンズ面から前記第１レンズ群の最も像側のレンズ面までの光軸上の距離をＤ１、前記第２レンズ群の最も物体側のレンズ面から前記第２レンズ群の最も像側のレンズ面までの光軸上の距離をＤ２、広角端における最も物体側のレンズ面から像面までの光軸上の距離をＴｗ、望遠端における全系の焦点距離をｆｔとするとき、
６．０＜ｆ１／ｆ３＜１５．０
２．８＜ｆｔ／Ｔｗ＜６．０
１．２＜Ｄ１／Ｄ２＜５．０
なる条件式を満足することを特徴とするズームレンズ。
【請求項２】
広角端における全系の焦点距離をｆｗとするとき、
６０．０＜ｆｔ／ｆｗ＜２００．０
なる条件式を満足することを特徴とする請求項１に記載のズームレンズ。
【請求項３】
広角端における全系の焦点距離をｆｗとするとき、
３．５＜Ｄ１／ｆｗ＜１２．０
なる条件式を満足することを特徴とする請求項１または２に記載のズームレンズ。
【請求項４】
広角端における全系の焦点距離をｆｗ、広角端から望遠端へのズーミングにおける前記第１レンズ群の移動量をＭ１とするとき、
１５．０＜｜Ｍ１｜／ｆｗ＜４０．０
なる条件式を満足することを特徴とする請求項１乃至３のいずれか１項に記載のズームレンズ。
【請求項５】
前記第１レンズ群は負レンズを有し、該負レンズの材料のｄ線におけるアッベ数をνｄ１ｎとするとき、
３０．０＜νｄ１ｎ＜５０．０
なる条件式を満足することを特徴とする請求項１乃至４のいずれか１項に記載のズームレンズ。
【請求項６】
広角端における前記第２レンズ群の最も像側のレンズ面から前記第３レンズ群の最も物体側のレンズ面までの光軸上の距離をＤ２３ｗ、広角端における全系の焦点距離をｆｗとするとき、
１０．０＜Ｄ２３ｗ／ｆｗ＜２０．０
なる条件式を満足することを特徴とする請求項１乃至５のいずれか１項に記載のズームレンズ。
【請求項７】
前記第２レンズ群の焦点距離をｆ２とするとき、
−７０．０＜ｆｔ／ｆ２＜−３０．０
なる条件式を満足することを特徴とする請求項１乃至６のいずれか１項に記載のズームレンズ。
【請求項８】
広角端における全系の焦点距離をｆｗとするとき、
２０．０＜ｆ１／ｆｗ＜５０．０
なる条件式を満足することを特徴とする請求項１乃至７のいずれか１項に記載のズームレンズ。
【請求項９】
前記第２レンズ群の焦点距離をｆ２とするとき、
−３０．０＜ｆ１／ｆ２＜−８．０
なる条件式を満足することを特徴とする請求項１乃至８のいずれか１項に記載のズームレンズ。
【請求項１０】
前記第２レンズ群は、負レンズＧ２１と、前記負レンズＧ２１の像側に隣接して配置された負レンズＧ２２を有し、前記負レンズＧ２１の像側のレンズ面と前記負レンズＧ２２の物体側のレンズ面で形成される空気レンズの屈折力をΦ１２とするとき、
−０．２＜Φ１２＜−０．１
なる条件式を満足することを特徴とする請求項１乃至９のいずれか１項に記載のズームレンズ。
【請求項１１】
前記負レンズＧ２１は前記第２レンズ群において最も物体側に配置された負レンズであることを特徴とする請求項１０に記載のズームレンズ。
【請求項１２】
前記後群は、物体側から像側へ順に配置された、負の屈折力の第４レンズ群、正の屈折力の第５レンズ群からなることを特徴とする請求項１乃至１１のいずれか１項に記載のズームレンズ。
【請求項１３】
前記後群は、物体側から像側へ順に配置された、負の屈折力の第４レンズ群、正の屈折力の第５レンズ群、負の屈折力の第６レンズ群からなることを特徴とする請求項１乃至１１のいずれか１項に記載のズームレンズ。
【請求項１４】
前記第１レンズ群は、物体側から像側へ順に配置された、負レンズ、正レンズ、正レンズ、正レンズからなることを特徴とする請求項１乃至１３のいずれか１項に記載のズームレンズ。
【請求項１５】
像ぶれ補正に際して、前記第２レンズ群は、光軸と垂直方向の成分を含むように移動することを特徴とする請求項１乃至１４のいずれか１項に記載のズームレンズ。
【請求項１６】
６．５＜ｆ１／ｆ３＜１０．０
なる条件式を満足することを特徴とする請求項１乃至１５のいずれか１項に記載のズームレンズ。
【請求項１７】
２．９＜ｆｔ／Ｔｗ＜４．５
なる条件式を満足することを特徴とする請求項１乃至１６のいずれか１項に記載のズームレンズ。
【請求項１８】
１．３＜Ｄ１／Ｄ２＜３．００
なる条件式を満足することを特徴とする請求項１乃至１７のいずれか１項に記載のズームレンズ。
【請求項１９】
前記第１レンズ群は、広角端から望遠端へのズーミングに際して、像側へ移動した後に物体側へ移動することを特徴とする請求項１乃至１８のいずれか一項に記載のズームレンズ。
【請求項２０】
請求項１乃至１９のいずれか１項に記載のズームレンズと、該ズームレンズによって形成される像を受光する撮像素子とを有していることを特徴とする撮像装置。
【手続補正２】
【補正対象書類名】明細書
【補正対象項目名】００１６
【補正方法】変更
【補正の内容】
【００１６】
本発明のズームレンズは、複数のレンズ群を有するズームレンズであって、  前記複数のレンズ群は、物体側から像側へ順に配置された、正の屈折力の第１レンズ群、負の屈折力の第２レンズ群、正の屈折力の第３レンズ群、１つ以上のレンズ群を含む後群から成り、  ズーミングに際して前記第１レンズ群は移動し、隣り合うレンズ群の間隔が変化し、  前記第１レンズ群の焦点距離をｆ１、前記第３レンズ群の焦点距離をｆ３、前記第１レンズ群の最も物体側のレンズ面から前記第１レンズ群の最も像側のレンズ面までの光軸上の距離をＤ１、前記第２レンズ群の最も物体側のレンズ面から前記第２レンズ群の最も像側のレンズ面までの光軸上の距離をＤ２、広角端における最も物体側のレンズ面から像面までの光軸上の距離をＴｗ、望遠端における全系の焦点距離をｆｔとするとき、
６．０＜ｆ１／ｆ３＜１５．０
２．８＜ｆｔ／Ｔｗ＜６．０
１．２＜Ｄ１／Ｄ２＜５．０
なる条件式を満足することを特徴としている。
【手続補正３】
【補正対象書類名】明細書
【補正対象項目名】００３０
【補正方法】変更
【補正の内容】
【００３０】
実施例１乃至４のズームレンズでは、広角端から望遠端へのズーミングに際して矢印のように各レンズ群を移動させている。具体的には、広角端から望遠端へのズーミングに際して矢印のように第１レンズ群Ｌ１を像側へ凸状の軌跡を描いて移動させている。即ち、第１レンズ群Ｌ１は広角端から望遠端へのズーミングに際して、像側へ移動した後に物体側へ移動する．第２レンズ群Ｌ２を像側へ移動させている。第３レンズ群Ｌ３を物体側へ移動させている。第４レンズ群Ｌ４を物体側へ移動させている。第５レンズ群Ｌ５を像側へ移動させている。
【手続補正４】
【補正対象書類名】明細書
【補正対象項目名】００４７
【補正方法】変更
【補正の内容】
【００４７】
更に好ましくは条件式（１ａ）乃至（３ａ）の数値範囲を次の如く設定するのが良い。
７．０＜ｆ１／ｆ３＜１０．０      ・・・（１ｂ）
３．０＜ｆｔ／Ｔｗ＜４．５        ・・・（２ｂ）
１．４＜Ｄ１／Ｄ２＜３．００    ・・・（３ｂ）
この他、好ましくは条件式（１）乃至（３）の数値範囲を次の如く設定するのが良い。
６．５＜ｆ１／ｆ３＜１０．０・・・・（１ｃ）
２．９＜ｆｔ／Ｔｗ＜４．５・・・・・（２ｃ）
１．３＜Ｄ１／Ｄ２＜３．００・・・（３ｃ）